(57)【特許請求の範囲】
【請求項１】
コード付きマイクロホンを所定の方向に向けて保持するマイクロホンホルダおいて、
所定の角度で交差するようにほぼＶ字状に一体成形された第１および第２の２つのアーム部を含み、上記第１アーム部は、上記マイクロホンを上下方向の所定角度位置に保持するマイク装着部を有し、上記第２アーム部には、上記マイクロホンのコードがＳ字状をなすように互いに反対側の面から挿通され、そのコードの一部分を摩擦係合により引き抜き不能に保持する少なくとも一対のコード挿通孔が形成されていることを特徴とするマイクロホンホルダ。
【請求項２】
上記マイク装着部は、上記第１アーム部に対して回転可能かつ着脱自在な回転軸を有する基部と、上記マイクロホンを上記回転軸と直交する方向に着脱自在に係止するマイク係止部とを備えている請求項１に記載のマイクロホンホルダ。
【請求項３】
上記各コード挿通孔は、上記第２アーム部の長さ方向に長軸を有するスリット孔からなり、その各々には上記コードを上記長軸と直交する方向から導入する開口部が設けられている請求項１または２に記載のマイクロホンホルダ。
【請求項４】
請求項１ないし３のいずれか１項に記載のマイクロホンホルダを左右一対として支持するステレオ用マイクロホン支持具であって、
マイクスタンドに取り付けられる支持基板を備え、その右辺および左辺には、上記各マイクロホンホルダを所定の開き角に保持するホルダ係止部がそれぞれ設けられていることを特徴とするステレオ用マイクロホン支持具。
【請求項５】
上記支持基板の右辺もしくは左辺の少なくとも一方の辺側には、他方の辺側の上記ホルダ係止部との間で異なる開き角を有する複数の上記ホルダ係止部が設けられている請求項４に記載のステレオ用マイクロホン支持具。
【請求項６】
上記支持基板には、上記一方の辺側の上記ホルダ係止部と上記他方の辺側の上記ホルダ係止部の組み合わせ角度が表示されている請求項４または５に記載のステレオ用マイクロホン支持具。
【発明の詳細な説明】
【０００１】
【発明の属する技術分野】
本発明は、マイクロホンをコードを介して天井などから吊り下げる場合に使用されるコード吊り下げ式マイクロホンホルダと、２本のマイクロホンをマイクスタンドにセットする際に用いられるステレオ用マイクロホン支持具に関するものである。
【０００２】
【従来の技術】
例えば、音楽ホールや劇場などで音を収録する形態の一つとして、マイクロホンをそのコードを介して天井などから吊り下げて使用する場合がある。その場合、指向性の強いマイクロホンにおいては、その収音箇所に向けてマイクロホンを角度付けする必要がある。これに用いられるのがコード吊り下げ式マイクロホンホルダであり、図８により、その従来例について説明する。
【０００３】
この例において、吊り下げられるのはいわゆるガンタイプのマイクロホンＭであり、このマイクロホンＭに空中で所定の角度を持たせるため、従来では塩ビなどの樹脂がコーティングされた針金をコイル状（螺旋階段状）に巻いたマイクロホンホルダ１が用いられている。
【０００４】
このマイクロホンホルダ１は、マイクロホンＭの後端側が差し込まれるマイク保持部２と、マイクロホンＭのコードＣが挿通されるコード挿通部３とを含み、それらの間が非コイル状の折り曲げ部４となっている。これによれば、折り曲げ部４の針金を折り曲げることにより、マイクロホンＭを所望とする方向に向けることができる。
【０００５】
【発明が解決しようとする課題】
しかしながら、第１に言えることは、針金に対する樹脂コーティング（例えば、塩ビコーティング）およびその螺旋状加工に要する費用が高く、コスト的に好ましくない。
【０００６】
第２には、マイクロホンＭのコードＣをコード挿通部３に挿通するには、そのコードＣをコード挿通部３の螺旋間から入れなければならないので、手間がかかりその取り扱いが難しい。
【０００７】
また、この種の小型部品は、多くの場合ポリ袋（ポリエチレン製の袋）内に梱包されるが、その表面が樹脂コーティングされているため、その樹脂コーティングがしばしばポリ袋に付着し梱包作業が行ないづらい、などの課題があった。
【０００８】
本発明は、このような課題を解決するためになされたもので、その第１の目的は、構成が簡単かつ安価で、しかも取り扱いの容易なマイクロホンホルダを提供することにある。
また、本発明の第２の目的は、ステレオで音を収録する場合、上記マイクロホンホルダの一対をマイクスタンドに対して簡単にセットできるようにしたステレオ用マイクロホン支持具を提供することにある。
【０００９】
【課題を解決するための手段】
本発明は第１の発明と第２の発明とを含み、上記第１の目的を達成するため、第１の発明は、コード付きマイクロホンを所定の方向に向けて保持するマイクロホンホルダおいて、所定の角度で交差するようにほぼＶ字状に一体成形された第１および第２の２つのアーム部を含み、上記第１アーム部は、上記マイクロホンを上下方向の所定角度位置に保持するマイク装着部を有し、上記第２アーム部には、上記マイクロホンのコードがＳ字状をなすように互いに反対側の面から挿通され、そのコードの一部分を摩擦係合により引き抜き不能に保持する少なくとも一対のコード挿通孔が形成されていることを特徴としている。
【００１０】
この場合、上記マイク装着部は、上記第１アーム部に対して回転可能かつ着脱自在な回転軸を有する基部と、上記マイクロホンを上記回転軸と直交する方向に着脱自在に係止するマイク係止部とを備えた構成であることが好ましく、これによれば、上記第１アーム部と上記第２アーム部の角度が固定であっても、マイクロホンの角度を任意に設定することができる。
【００１１】
また、上記各コード挿通孔は、上記第２アーム部の長さ方向に長軸を有するスリット孔からなり、その各々には上記コードを上記長軸と直交する方向から導入する開口部が設けられている構成であることが好ましく、これによれば、コードを容易に上記コード挿通孔内に入れることができる。
【００１２】
上記第２の目的を達成するため、第２の発明は、上記第１の発明に係るマイクロホンホルダを左右一対として支持するステレオ用マイクロホン支持具であって、マイクスタンドに取り付けられる支持基板を備え、その右辺および左辺には、上記各マイクロホンホルダを所定の開き角に保持するホルダ係止部がそれぞれ設けられていることを特徴としている。
【００１３】
第２の発明において、マイクロホンのステレオ角度を選択可能とするため、上記支持基板の右辺もしくは左辺の少なくとも一方の辺側には、他方の辺側の上記ホルダ係止部との間で異なる開き角を有する複数の上記ホルダ係止部が設けられていることが好ましい。
【００１４】
また、マイクロホンのステレオ角度を選ぶ際の参考として、上記一方の辺側の上記ホルダ係止部と上記他方の辺側の上記ホルダ係止部の組み合わせ角度を表示しておくことが好ましい。
【００１５】
【発明の実施の形態】
まず、図１ないし図５を参照して、本発明のマイクロホンホルダの実施形態について説明する。
【００１６】
図１の正面図および図２の側面図に示されているように、このマイクロホンホルダ１０は、所定の角度で交差するようにほぼＶ字（もしくは「く」の字）状に一体成形された板材からなり、その一端側が第１アーム部１１で、他端側が第２アーム部１２である。
【００１７】
第１アーム部１１の先端には、図３に示されているように、側面視でほぼＣ字状の弾性変形可能な軸受け部１１１が形成されており、この軸受け部１１１にマイク装着部１３が回転可能かつ着脱自在に取り付けられている。軸受け部１１１の軸線は第１アーム部１１の延在方向と直交している。
【００１８】
マイク装着部１３は、図４に示されているように、軸受け部１１１に嵌合保持される回転軸１３１を有する基部１３２を含み、この基部１３２の一端側には、一対の弾性変形可能な係止片１３３，１３３からなるマイク係止部１３４が連設されている。基部１３２の他端側には、抜け止め用のフランジ１３５が形成されており、回転軸１３１は、その軸線と直交する方向から軸受け部１１１内に強制嵌合される。
【００１９】
この実施形態において、第２アーム部１２には２つのコード挿通孔１２１，１２２が形成されている。各コード挿通孔１２１，１２２は、第２アーム部１２の長さ方向に長軸を有するスリット孔からなり、その各々にはマイクロホンのコードを長軸と直交する方向から導入する開口部１２３，１２３が設けられている。このコード挿通孔は３つ以上設けられてもよい。
【００２０】
なお、第１アーム部１１と第２アーム部１２が交差する角部には、後述するステレオ用マイクロホン支持具（図６参照）に対する嵌合溝１４１と嵌合孔１４２が形成されている。
【００２１】
使用例について説明すると、図５に示されているように、マイクロホン（この例ではガンタイプのマイクロホン）Ｍを天井などに吊り下げるにあたっては、マイクロホンＭをマイク係止部１３４内に差し込むか、もしくはマイク係止部１３４の開口から強制的に嵌合する。
【００２２】
これにより、マイクロホンＭが回転軸１３１の軸線を中心として回転可能に保持されるとともに、回転軸１３１と軸受け部１１１との間に発生する摩擦力により所定の回転位置に保持される。
【００２３】
また、マイクロホンＭから引き出されているコードＣをコード挿通孔１２１，１２２にＳ字状に挿通する。すなわち、コード挿通孔１２１に対してはコードＣを第２アーム部１２の一方の側面側から他方の側面側に向けて通し、コード挿通孔１２２に対してはコードＣを第２アーム部１２の他方の側面側から一方の側面側向けて通す。
【００２４】
これにより、コードＣがＳ字状に屈曲するため、コード挿通孔１２１，１２２により引き抜き不能に保持される。この場合、各コード挿通孔１２１，１２２に対するコードＣの挿通は、それらの開口部１２３，１２３からに簡単に行なうことができる。
【００２５】
次に、図６および図７により、本発明のステレオ用マイクロホン支持具の実施形態について説明する。なお、図６はステレオ用マイクロホン支持具２０の平面図、図７は同支持具２０をマイクスタンドに取り付けた状態の斜視図で、この実施形態において、マイクスタンドには三脚３０が用いられている
【００２６】
このステレオ用マイクロホン支持具２０は、三脚３０の雲台３１に取り付けられる支持基板２１を備えている。支持基板２１は全体がゆるやかな曲率で円弧状（扇状）に形成されており、その中央部分には雲台３１の雄ねじ３１１と螺合する雌ねじ２１１が設けられている。
【００２７】
支持基板２１の右辺２１Ｒと左辺２１Ｌには、上記マイクロホンホルダ１０を所定の開き角に保持するホルダ係止部２２がそれぞれ設けられている。この実施形態において、右辺２１Ｒおよび左辺２１Ｌには、ともに２つのホルダ係止部が設けられており、右辺２１Ｒ側のホルダ係止部を２２ａ，２２ｂとし、左辺２１Ｌ側のホルダ係止部を２２ｃ，２２ｄとする。
【００２８】
各ホルダ係止部２２は同一形状で、上記マイクロホンホルダ１０の角部を挟持する左右一対の係止爪２２１を備えており、その各係止爪２２１の先端には、互いに内側に向けて突出する突起２２２が形成されている。
【００２９】
すなわち、マイクロホンホルダ１０の角部を係止爪２２１，２２１間に強制的に押し込むことにより、マイクロホンホルダ１０側の嵌合溝１４１が支持基板２１の端部に嵌合し、また、マイクロホンホルダ１０側の嵌合孔１４２が各係止爪２２１の突起２２２，２２２にて捕捉される。
【００３０】
このようにして、マイクロホンホルダ１０がステレオ用マイクロホン支持具２０に取り付けられるのであるが、この実施形態によれば、マイクロホンホルダ１０の取り付け位置を変えることにより、２本のマイクロホンＭの開き角を４通りに選択することができる。
【００３１】
すなわち、右辺側のホルダ係止部２２ｂと左辺側のホルダ係止部２２ｄとの間の開き角は９０゜、右辺側のホルダ係止部２２ｂと左辺側のホルダ係止部２２ｃとの間の開き角は１００゜、右辺側のホルダ係止部２２ａと左辺側のホルダ係止部２２ｄとの間の開き角は１１０゜、右辺側のホルダ係止部２２ａと左辺側のホルダ係止部２２ｃとの間の開き角は１２０゜に設定されている。
【００３２】
このように、右辺側のホルダ係止部と左辺側のホルダ係止部との組み合わせにより、２本のマイクロホンＭの開き角を９０゜，１００゜，１１０゜，１２０゜の中から任意に選択することができる。
【００３３】
また、この開き角の組み合わせを分かりやすくするため、支持基板２１の表面には、各ホルダ係止部の組み合わせ関係を示す指示線と開き角の数値とを含む表示２３がなされている。
【００３４】
上記実施形態では、支持基板２１の両辺にそれぞれホルダ係止部を２つ設けているが、一方の辺側には一つ、他方の辺側には複数のホルダ係止部を設けるように変形することも可能である。
【００３５】
【発明の効果】
以上説明したように、第１の発明によれば、コード吊り下げ式のマイクロホンホルダにおいて、ほぼＶ字状に一体成形された第１および第２の２つのアーム部のうち、第１アーム部側にはマイクロホンを上下方向の所定角度位置に保持するマイク装着部を設け、第２アーム部側にはマイクロホンのコードがＳ字状に挿通され、そのコードの一部分を摩擦係合により引き抜き不能に保持する少なくとも一対のコード挿通孔を形成したことにより、構成が簡単かつ安価で、しかも取り扱いの容易なマイクロホンホルダが提供される。
【００３６】
また、第２の発明によれば、マイクスタンドに取り付けられる支持基板の右辺および左辺の両辺に、マイクロホンホルダを所定の開き角に保持するホルダ係止部をそれぞれ設けたことにより、ステレオで音を収録する場合、マイクロホンホルダの一対をマイクスタンドに対して簡単にセットすることができるステレオ用マイクロホン支持具が提供される。
【図面の簡単な説明】
【図１】本発明によるマイクロホンホルダの実施形態を示した正面図。
【図２】上記マイクロホンホルダの実施形態を示した側面図。
【図３】上記マイクロホンホルダの軸受け部を示した側面図。
【図４】上記マイクロホンホルダのマイク装着部を示した側面図。
【図５】上記マイクロホンホルダの使用状態を示した斜視図。
【図６】本発明によるステレオ用マイクロホン支持具の実施形態を示した正面図。
【図７】上記ステレオ用マイクロホン支持具の使用状態を示した斜視図。
【図８】従来のマイクロホンホルダを示した斜視図。
【符号の説明】
１０  マイクロホンホルダ
１１  第１アーム部
１１１  軸受け部
１２  第２アーム部
１２１，１２２  コード挿通孔
１２３  開口部
１３  マイク装着部
１３１  回転軸
１３２  基部
１３３  係止片
１３４  マイク係止部
１３５  フランジ
２０  ステレオ用マイクロホン支持具
２１  支持基板
２２（２２ａ〜２２ｄ）  ホルダ係止部
Ｍ  マイクロホン
Ｃ  コード
【図１】
0003648457.tif 000002
【図２】
0003648457.tif 000003
【図３】
0003648457.tif 000004
【図４】
0003648457.tif 000005
【図５】
0003648457.tif 000006
【図６】
0003648457.tif 000007
【図７】
0003648457.tif 000008
【図８】
0003648457.tif 000009